【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】
次の各構成および特徴を備える不織の製紙布。
・第１の原材料の紙料からなり、必要な長さおよび必要な幅をもつスパイラル巻きの縦方向（ＭＤ）層
・第２の原材料の紙料からなる横方向（ＣＤ）部材を含み、前記スパイラル巻きのＭＤ層の上に載り、そのＭＤ層に組み合わさったＣＤ層
・前記布がその布の紙側に向けた中立線をもち、それにより、前記布を製紙機械のシリンダー周りに旋回させるとき、紙シートの伸びを減じる 
【請求項２】
前記スパイラル巻きのＭＤ層が、一対の平行なシリンダーの周りに前記第１の原材料の紙料からなるＭＤ部材を巻き付けて形成したものである、請求項１の製紙布。
【請求項３】
前記スパイラル巻きのＭＤ層が前記布の紙側を構成し、前記ＣＤ層が前記布の機械側を構成する、請求項１の製紙布。      
【請求項４】
前記第１の原材料の紙料が、前記第２の原材料の紙料と同じである、請求項１の製紙布。        
【請求項５】
前記布が、製紙機械の乾燥部分で用いる乾燥布である、請求項１の製紙布。  
【請求項６】
前記ＭＤ部材のいくつかあるいはすべてが、扁平なフィラメント、円形のフィラメント、テクスチャード加工フィラメント、かさ高けん縮フィラメント、成形フィラメント、中空フィラメント、フィルム、不織材料あるいは織り材料のセグメントである、請求項１の製紙布。  
【請求項７】
前記ＣＤ部材のいくつかあるいはすべてが、扁平なフィラメント、円形のフィラメント、テクスチャード加工フィラメント、かさ高けん縮フィラメント、成形フィラメント、中空フィラメント、フィルム、不織材料あるいは織り材料のセグメントである、請求項１の製紙布。      
【請求項８】
前記ＣＤ部材のいくつかあるいはすべてが、ＭＤ関連の通路あるいは溝を含む、請求項７の製紙布。  
【請求項９】
前記第１の原材料の紙料が、ポリアミド、ポリエステル、ポリオレフィン、あるいはその他の重合体物質の中の一つである、請求項１の製紙布。
【請求項１０】
前記第２の原材料の紙料が、ポリアミド、ポリエステル、ポリオレフィン、あるいはその他の重合体物質の中の一つである、請求項１の製紙布。      
【請求項１１】
前記スパイラル巻きのＭＤ層の上に直接前記ＣＤ部材を配置するために、ピッチ部材をもつ回転シリンダーを用いて前記スパイラル巻きのＭＤ層に前記ＣＤ部材を組み合わせる、請求項１の製紙布。      
【請求項１２】
前記ＣＤ層が、加熱接合によって前記スパイラル巻きのＭＤ層に組み合わさっている、請求項１の製紙布。
【請求項１３】
次の各構成および特徴を備える不織の製紙布。
・第１の原材料の紙料からなる第１のスパイラル巻きの縦方向（ＭＤ）層であって、その第１のスパイラル巻きのＭＤ層が、一対の平行なシリンダーの周りに第１の方向に前記第１の原材料の紙料からなるＭＤ部材を必要な長さおよび必要な幅になるまで巻き付けて形成したもの
・第２の原材料の紙料からなる第２のスパイラル巻きのＭＤ層であって、前記第２の原材料の紙料からなるＭＤ部材を前記第１の方向と反対の第２の方向に巻き付けて形成したもの
・前記第２のスパイラル巻きのＭＤ層が、前記第１のスパイラル巻きのＭＤ層の上に載り組み合わさっていること
・前記布がその布の紙側に向けた中立線をもち、それにより、前記布を製紙機械のシリンダー周りに旋回させるとき、紙シートの伸びを減じる 
【請求項１４】
前記第１のスパイラル巻きのＭＤ層が前記布の紙側を構成し、前記第２のＭＤ層が前記布の機械側を構成する、請求項１３の製紙布。      
【請求項１５】
前記第１の原材料の紙料が、前記第２の原材料の紙料と同じである、請求項１３の製紙布。
【請求項１６】
前記布が、製紙機械の乾燥部分で用いる乾燥布である、請求項１３の製紙布。  
【請求項１７】
前記ＭＤ部材のいくつかあるいはすべてが、扁平なフィラメント、円形のフィラメント、テクスチャード加工フィラメント、かさ高けん縮フィラメント、成形フィラメント、中空フィラメント、フィルム、不織材料あるいは織り材料のセグメントである、請求項１３の製紙布。
【請求項１８】
前記第１の原材料の紙料が、ポリアミド、ポリエステル、ポリオレフィン、あるいはその他の重合体物質の中の一つである、請求項１３の製紙布。  
【請求項１９】
前記第２の原材料の紙料が、ポリアミド、ポリエステル、ポリオレフィン、あるいはその他の重合体物質の中の一つである、請求項１３の製紙布。        
【請求項２０】
前記第２のスパイラル巻きのＭＤ層が、加熱接合によって前記第１のスパイラル巻きのＭＤ層に組み合わさっている、請求項１３の製紙布。  
【請求項２１】
次の各構成を備える不織の製紙布。
・第１の原材料の紙料からなる第１のスパイラル巻きの縦方向（ＭＤ）層であって、その第１のスパイラル巻きのＭＤ層が、一対の平行なシリンダーの周りに第１の方向に前記第１の原材料の紙料からなるＭＤ部材を必要な長さおよび必要な幅になるまで巻き付けて形成したもの
・第２の原材料の紙料からなる第２のスパイラル巻きのＭＤ層であって、前記第２の原材料の紙料からなるＭＤ部材を前記第１の方向と反対の第２の方向に巻き付けて形成したもの
・横方向（ＣＤ）層であって、第３の原材料の紙料からなるＣＤ部材を巻いて形成したもの
・前記の各層が互いに重ね合わさっていること
【請求項２２】
前記ＣＤ層が、前記スパイラル巻きのＭＤ層の上に載るか、あるいはサンドイッチ状に挟まっている、請求項２１の製紙布。  
【請求項２３】
前記布がその布の紙側に向けた中立線をもち、それにより、前記布を製紙機械のシリンダー周りに旋回させるとき、紙シートの伸びを減じる、請求項２１の製紙布。  
【請求項２４】
前記スパイラル巻きのＭＤ層が前記布の紙側を構成し、前記ＣＤ層が前記布の機械側を構成する、請求項２１の製紙布。    
【請求項２５】
前記第１の原材料の紙料が、前記第２の原材料の紙料と同じである、請求項２１の製紙布。  
【請求項２６】
前記第３の原材料の紙料が、前記第１の原材料の紙料あるいは前記第２の原材料の紙料、またはそれらの両方と同じである、請求項２５の製紙布。
【請求項２７】
前記布が、製紙機械の乾燥部分で用いる乾燥布である、請求項２１の製紙布。  
【請求項２８】
前記ＭＤ部材のいくつかあるいはすべてが、扁平なフィラメント、円形のフィラメント、テクスチャード加工フィラメント、かさ高けん縮フィラメント、成形フィラメント、中空フィラメント、フィルム、不織材料あるいは織り材料のセグメントである、請求項２３の製紙布。        
【請求項２９】
前記原材料の紙料が、ポリアミド、ポリエステル、ポリオレフィン、あるいはその他の重合体物質の中の一つである、請求項２１の製紙布。  
【請求項３０】
前記ＣＤ部材のいくつかあるいはすべてが、扁平なフィラメント、円形のフィラメント、テクスチャード加工フィラメント、かさ高けん縮フィラメント、成形フィラメント、中空フィラメント、フィルム、不織材料あるいは織り材料のセグメントである、請求項２４の製紙布。
【請求項３１】
前記ＣＤ部材のいくつかあるいはすべてが、ＭＤ関連の通路あるいは溝を含む、請求項３０の製紙布。  
【請求項３２】
前記巻きＭＤ層およびＣＤ層が、加熱接合によって積層されている、請求項２１の製紙布。